(57)【要約】【課題】かご廻り配線を上かご及び下かごの動きに追従させてその破損や切断を防止することができるとともに、そのかご廻り配線のばたつきを抑えてエレベータ昇降路内の機器等との干渉を避けることができるダブルデッキ式エレベータを提供する。【解決手段】外かご枠１０と上かご１１及び下かご１２との間に、それぞれ弛み部４８をもって下方にほぼＵ字状に垂れ下がる上かご用及び下かご用の配線具４０ａ，４ｂを設け、外かご枠１０の制御ダクト３４と上かご１１のかごダクト３５との間に接続されるかご廻り配線３７の途中を前記配線具４０ａ内に挿入し、その配線具４０ａと共に下方にほぼＵ字状に垂れ下げ、外かご枠１０の制御ダクト３４と下かご１２のかごダクト３６との間に接続されるかご廻り配線３８の途中を前記配線具４０ｂ内に挿入し、その配線具４０ｂと共に下方にほぼＵ字状に垂れ下げる。【選択図】    図１
2005089135.tif 000002
【特許請求の範囲】
【請求項１】
外かご枠と、
この外かご枠内に上下動可能に設けられた上かご及び下かごと、
前記上かご及び下かごを上下に移動させる階間調整機構と、
前記外かご枠に設けられた制御ダクト、及び前記上かごと下かごとにそれぞれ設けられたかごダクトと、
前記外かご枠と前記上かご及び下かごとの間に、下方にほぼＵ字状に垂れ下がる弛み部をもって掛け渡された上かご用及び下かご用の配線具と、
前記制御ダクトと前記上かごのかごダクトとの間に接続され、前記外かご枠を経て前記上かごに導かれてその外かご枠と上かごとの間に跨る部分が前記上かご用の配線具内に挿入されてその配線具と共に下方にほぼＵ字状に垂れ下がるように支持されている上かご用のかご廻り配線と、
前記制御ダクトと前記下かごのかごダクトとの間に接続され、前記外かご枠を経て前記下かごに導かれてその外かご枠と下かごとの間に跨る部分が前記下かご用の配線具内に挿入されてその配線具と共に下方にほぼＵ字状に垂れ下がるように支持されている下かご用のかご廻り配線と、
を具備することを特徴とするダブルデッキ式エレベータ。
【請求項２】
外かご枠と、
この外かご枠内に上下動可能に設けられた上かご及び下かごと、
前記上かご及び下かごを上下に移動させる階間調整機構と、
前記外かご枠に設けられた制御ダクト、及び前記上かごと下かごとにそれぞれ設けられたかごダクトと、
平型ケーブルからなり、前記制御ダクトと前記上かごのかごダクトとの間に接続され、前記外かご枠を経て前記上かごに導かれてその外かご枠と上かごとの間に跨る部分が下方にほぼＵ字状に垂れ下がる弛み部をもって支持されている上かご用のかご廻り配線と、
平型ケーブルからなり、前記制御ダクトと前記下かごのかごダクトとの間に接続され、前記外かご枠を経て前記上かごに導かれてその外かご枠と下かごとの間に跨る部分が下方にほぼＵ字状に垂れ下がる弛み部をもって支持されている下かご用のかご廻り配線と、
を具備することを特徴とするダブルデッキ式エレベータ。
【請求項３】
前記各かご廻り配線は、上かご及び下かごの側面側に設けられていることを特徴とする請求項１または２に記載のダブルデッキ式エレベータ。
【発明の詳細な説明】
【技術分野】
【０００１】
この発明は、二つのかごをもち、その二つのかごが一体的に昇降して建屋の上下に隣接する二つの階床に着床するダブルデッキ式エレベータに関する。
【背景技術】
【０００２】
近年、高層ビル等の建屋に設置されるエレベータとして、輸送力を増大するのために、上下に配置する二つのかごが一体的に昇降して建屋の上下の二つの階床に着床し、その各階床の乗客を同時に輸送することが可能なダブルデッキ式のエレベータが採用されるようになってきている。
【０００３】
高層ビル等の建屋にあっては、各階間の階床高さが異なることが多く、このためその二つのかごの間隔が一定であると、着床する階床によっては、一方のかごがその階床のレベルと一致せずに上下にギャップ（段差）が生じてしまうことになる。
【０００４】
そこで、近年においては、上下に配置する二つのかごの間隔を、着床する階の階床高さに応じるように調整することが可能な階間調整機構を備えるダブルデッキ式エレベータが開発されている。
【０００５】
一般に、ダブルデッキ式エレベータにあっては、図６に示すように、外かご枠１を備え、この外かご枠１の内側に上かご２と下かご３とが設置されている。外かご枠１の下部には各種の制御機器類を内蔵した制御ダクト４が取り付けられ、また各かご２，３の上部には接続端子類を内蔵したかごダクト５，６が取り付けられている。そして、制御ダクト４と各かごダクト５，６とが送電や信号用のかご廻り配線７，８により接続されている。
【発明の開示】
【発明が解決しようとする課題】
【０００６】
図６に示す上かご２及び下かご３がそれぞれ外かご枠１に固定されているダブルデッキ式エレベータの場合には、かご廻り配線７，８は外かご枠１の縦梁に沿うように固定して取り付けることが可能である。
【０００７】
ところが、上かご２及び下かご３がそれぞれ外かご枠１に対して上下に移動可能に設けられる階間調整機構付きのダブルデッキ式エレベータの場合には、上かご２及び下かご３が上下に移動するから、かご廻り配線７，８を外かご枠１の縦梁に固定してしまうと、その移動によりかご廻り配線７，８に過大な張力が加わって破損したり切断してしまう。
【０００８】
したがって、かご廻り配線７，８は各かご２，３の移動に追従し得るように取り付ける必要があるが、この場合、そのかご廻り配線７，８がエレベータ昇降時の風圧で大きくばたつき、そのばたつきでエレベータ昇降路内の機器等に引っ掛かるような危険を避けなければならない。
【０００９】
この発明は、このような点に着目してなされたもので、その目的とするところは、かご廻り配線を上かご及び下かごの動きに追従させてその破損や切断を防止することができるとともに、そのかご廻り配線のばたつきを抑えてエレベータ昇降路内の機器等との干渉を避けることができるダブルデッキ式エレベータを提供することにある。
【課題を解決するための手段】
【００１０】
請求項１の発明は、外かご枠と、この外かご枠内に上下動可能に設けられた上かご及び下かごと、前記上かご及び下かごを上下に移動させる階間調整機構と、前記外かご枠に設けられた制御ダクト、及び前記上かご及び下かごにそれぞれ設けられたかごダクトと、前記外かご枠と前記上かご及び下かごとの間に、下方にほぼＵ字状に垂れ下がる弛み部をもって掛け渡された上かご用及び下かご用の配線具と、前記制御ダクトと前記上かごのかごダクトとの間に接続され、前記外かご枠を経て前記上かごに導かれてその外かご枠と上かごとの間に跨る部分が前記上かご用の配線具内に挿入されてその配線具と共に下方にほぼＵ字状に垂れ下がるように支持されている上かご用のかご廻り配線と、前記制御ダクトと前記下かごのかごダクトとの間に接続され、前記外かご枠を経て前記下かごに導かれてその外かご枠と下かごとの間に跨る部分が前記下かご用の配線具内に挿入されてその配線具と共に下方にほぼＵ字状に垂れ下がるように支持されている下かご用のかご廻り配線とを具備することを特徴としている。
【００１１】
請求項２の発明は、外かご枠と、この外かご枠内に上下動可能に設けられた上かご及び下かごと、前記上かご及び下かごを上下に移動させる階間調整機構と、前記外かご枠に設けられた制御ダクト、及び前記上かごと下かごとにそれぞれ設けられたかごダクトと、平型ケーブルからなり、前記制御ダクトと前記上かごのかごダクトとの間に接続され、前記外かご枠を経て前記上かごに導かれてその外かご枠と上かごとの間に跨る部分が下方にほぼＵ字状に垂れ下がる弛み部をもって支持されている上かご用のかご廻り配線と、平型ケーブルからなり、前記制御ダクトと前記下かごのかごダクトとの間に接続され、前記外かご枠を経て前記上かごに導かれてその外かご枠と下かごとの間に跨る部分が下方にほぼＵ字状に垂れ下がる弛み部をもって支持されている下かご用のかご廻り配線とを具備することを特徴としている。
【００１２】
請求項３の発明は、前記各かご廻り配線が、上かご及び下かごの側面側に設けられていることを特徴としている。
【発明の効果】
【００１３】
この発明によれば、かご廻り配線を上かご及び下かごの動きに追従させることができ、したがってその破損や切断を防止することができ、またエレベータ昇降時のかご廻り配線のばたつきを抑えてエレベータ昇降路内の機器等との干渉を避けることができる。
【発明を実施するための最良の形態】
【００１４】
以下、この発明の実施の形態について図１ないし図５を参照して説明する。
【００１５】
図１には階間調整機構付きのダブルデッキ式エレベータの外観図を、図２にはその要部の側面図を示してあり、このエレベータは上下に長い矩形状の外かご枠１０を備え、この外かご枠１０の内側に上かご１１と下かご１２とが上下に移動可能に設けられている。
【００１６】
上かご１１及び下かご１２は、それぞれ内かご枠１４の内側にかご室１６，１７を一体的に設置してなる。各かご室１６，１７は前面にそれぞれ出入口１８を有し、その出入口１８がかごドア装置１９により開閉される。
【００１７】
外かご枠１０は、左右に配置する縦梁２０と、これら縦梁２０の上下部間に架設された横梁２１，２２とを有し、この外かご枠１０の両側部に階間調整機構としてボールねじ装置２４が設けられている。
【００１８】
ボールねじ装置２４のねじ軸２５は、外かご枠１０における上下の横梁２１，２２間に回転可能に設けられている。各ねじ軸２５の途中には第１のねじ部２６と第２のねじ部２７とが形成されている。これら第１のねじ部２６と第２のねじ部２７はそのねじの方向が互いに逆の方向となっており、例えば第１のねじ部２６が右ねじで、第２のねじ部２７が左ねじとなっている。
【００１９】
上かご１１及び下かご１２における内かご枠１４の上部にはそれぞれ支持ビーム２９が取り付けられている。これら支持ビーム２９の両端部はそれぞれかご室１６，１７の両側面側に突出し、その各突出端部にそれぞれナット３０が取り付けられている。
【００２０】
上かご１１の支持ビーム２９に取り付けられたナット３０は前記ねじ軸２５の第１のねじ部２６に螺合し、下かご１２の支持ビーム２９に取り付けられたナット３０は前記ねじ軸２５の第２のねじ部２７に螺合している。
【００２１】
ボーねじ装置２４の各ねじ軸２５は、外かご枠１０の上部に取り付けられた駆動源としてのモータ３２により正逆方向に回転駆動され、その回転によりナット３０を介して上かご１１及び下かご１２が上下に移動する。
【００２２】
すなわち、各ねじ軸２５が正方向に回転するときには、ねじ部２６，２７のねじの方向が逆方向であることから、例えば上かご１１が上方向に、下かご１２が下方向にそれぞれ移動してその上かご１１と下かご１２との間隔が広がり、また各ねじ軸２５が逆方向に回転するときには、上かご１１が下方向に、下かご１２が上方向にそれぞれ移動してその上かご１１と下かご１２との間隔が狭まる。
【００２３】
このように上かご１１と下かご１２との間隔を調整することにより、建屋の各階間の階床高さが異なる場合であっても、上かご１１及び下かご１２がそれぞれその階床のレベルと一致するように着床させることができる。
【００２４】
外かご枠１０は最下部に作業台３３を有し、この作業台３３の下面に各種の制御機器類を内蔵した制御ダクト３４が取り付けられ、また上かご１１における内かご枠１４の上部、及び下かご１２における内かご枠１４の上部にそれぞれ接続端子類を内蔵したかごダクト３５，３６が取り付けられている。そして、制御ダクト３４と各かごダクト３５，３６とが送電や信号用のかご廻り配線３７，３８により接続されている。
【００２５】
外かご枠１０の一方の縦梁２０と上かご１１の内かご枠１４及び下かご１２の内かご枠１４との間にはそれぞれ中空状で屈曲自在な配線具４０ａ，４０ｂが掛け渡されている。制御ダクト３４から引き出されたかご廻り配線３７，３８は、それぞれ外かご枠１０の縦梁２０に沿って上方に導かれている。
【００２６】
そして、一方のかご廻り配線３７は、縦梁２０の上部の途中から導出されているとともに、前記配線具４０ａを通して上かご１１に導入されてその上かご１１のかごダクト３５に接続され、他方のかご廻り配線３８は、縦梁２０の中間部の途中から導出されているとともに、前記配線具４０ｂを通して下かご１２に導入されてその下かご１２のかごダクト３５に接続されている。
【００２７】
配線具４０ａ，４ｂは、図２に示すように、複数の連結子４１をピン４２を介して一連に、かつ互いに屈曲自在に連結してなる。各連結子４１は例えば金属あるいは合成樹脂からなり、断面コ字状をなし、その各連結子４１の並び方向の内側の空間内にかご廻り配線３７，３８の途中が挿入されている。
【００２８】
外かご枠１０の上部側に設けられた一方の配線具４０ａは、一端部が外かご枠１０における縦梁２０にブラケット４５ａを介して連結され、他端部が上かご１１における内かご枠１４の上部にブラケット４６ａを介して連結されている。
【００２９】
また、外かご枠１０の下部側に設けられた他方の配線具４０ｂは、一端部が外かご枠１０における縦梁２０に前記ブラケット４５ａより下方の位置に取り付けられたブラケット４５ｂを介して連結され、他端部が上かご１１における内かご枠１４の上部にブラケット４６ｂを介して連結されている。
【００３０】
各配線具４０ａ，４０ｂは、下方に垂れ下がってＵ字状に屈曲する余裕の弛み部４８を有し、この弛み部４８により各配線具４０ａ，４０ｂが上かご１１及び下かご１２の上下の移動に追従することができるようになっている。
【００３１】
このような構成においては、階間調整機構としてのボールねじ装置２４が駆動されて上かご１１及び下かご１２が上下に移動した際には、各配線具４０ａ，４０ｂがその内側のかご廻り配線３７，３８と共に弛み部４８の余裕の弛み分により上かご１１及び下かご１２の動きに追従し、このためかご廻り配線３７，３８に過大な張力が加わることがなく、かご廻り配線３７，３８の破損や切断を防止することができる。
【００３２】
かご廻り配線３７，３８は、それぞれ配線具４０ａ，４０ｂを介して外かご枠１０から上かご１１及び下かご１２に導かれており、このためエレベータ昇降時の風圧等でかご廻り配線３７，３８が大きくばたつくようなことがなく、したがってかご廻り配線３７，３８がエレベータ昇降路内の機器と干渉するような危険を避けることができる。
【００３３】
図３ないし図５には第２の実施形態を示してあり、図３はダブルデッキ式エレベータの外かご枠１０及び上かご１１のみを示し、下かご１２を省略した側面図であり、図４は外かご枠１０及び下かご１２のみを示し、上かご１１を省略した側面図であり、図５は図４中の矢視Ａ方向から見た正面図である。
【００３４】
この第２の実施形態においては、かご廻り配線３７，３８として平型ケーブルすなわち扁平な長方形の断面をもつケーブルが用いられている。
【００３５】
制御ダクト３４と上かご１１とを結ぶかご廻り配線３７は、図３に示すように、制御ダクト３４からの引き出し側が外かご枠１０の縦梁２０に沿って上方に導かれているとともに、縦梁２０の上部の途中からブラケット５１を介して導出され、その導出側がブラケット５２を介して上かご１１の内かご枠１４に固定され、さらにその導出側が内かご枠１４の上部に設けられたかごダクト３５に接続されている。
【００３６】
ブラケット５１，５２間に掛け渡された部分のかご廻り配線３７は、下方に垂れ下がってＵ字状に屈曲する余裕の弛み部５５となっており、また制御ダクト３４から引き出された部分も同様の弛み部５６となっている。
【００３７】
かご廻り配線３７は平型ケーブルからなり、したがってその幅広の面が湾曲する方向にのみ屈曲することが可能で、他の方向への屈曲が不能となっている。そしてブラケット５１，５２間に掛け渡された部分のかご廻り配線３７はその幅広の面が上かご１１の側面とほぼ直角となる姿勢を保って支持されており、したがって上かご１１の上下の移動に応じて弛み部５５が屈曲してその動きに追従するが、上かご１１の側面の外方側にはほとんど変位することがない。また、制御ダクト３４から引き出された部分の弛み部５６もその幅広の面が作業台３３の側面とほぼ直角となる姿勢を保って支持されている。
【００３８】
図４には制御ダクト３４と下かご１２とを結ぶかご廻り配線３８を示してあり、このかご廻り配線３８は、前記かご廻り配線３７とは反対側となる下かご１２の側面側に設けられている。
【００３９】
このかご廻り配線３８においては、制御ダクト３４からの引き出し側が外かご枠１０の下側の作業台３３の側面側を経て上方に導かれ、下かご１２における内かご枠１４の下部にブラケット６０を介して固定されている。そしてブラケット６０から導出された部分が上方に延びて下かご１２の内かご枠１４の下部にブラケット６１を介して固定されている。
【００４０】
さらにブラケット６１から導出された部分が下かご１２の内かご枠１４に沿って上方に延びて下かご１２のかごダクト３５に接続され、またその途中がブラケット６２を介して内かご枠１４に固定されている。
【００４１】
制御ダクト３４とブラケット６０との間に跨る部分のかご廻り配線３８は、自由状態で垂れ下がって図５に示すようにＵ字状に屈曲する余裕の弛み部６５となっている。そしてこのかご廻り配線３８は、その幅広の面が下かご１２の側面とほぼ平行をなすように支持されている。
【００４２】
このような構成においては、階間調整機構が駆動されて上かご１１及び下かご１２が上下に移動した際、かご廻り配線３７は弛み部５５の余裕の弛み分により上かご１１の動きに追従し、このためかご廻り配線３７に過大な張力が加わることがなく、かご廻り配線３７の破損や切断を防止することができる。
【００４３】
また、かご廻り配線３８は弛み部６５の余裕の弛み分により下かご１２の動きに追従し、このためかご廻り配線３８に過大な張力が加わることがなく、かご廻り配線３８の破損や破損を防止することができる。
【００４４】
かご廻り配線３７のブラケット５１，５２間の区間は自由状態で下方に垂れ下がっており、したがってエレベータ昇降時の風圧等の影響がその下方に垂れ下がった部分のかご廻り配線３７に及ぶが、このかご廻り配線３７は平型ケーブルからなり、このためねじれにくく、断面が円形のケーブルの場合に比べその風圧等によるばたつきが抑えられる。特に、配線３７の幅広の面と平行の方向へのばたつきが抑えられる。したがってエレベータ昇降時におけるかご廻り配線３７とエレベータ昇降路内の機器との不用意な干渉を避けることができる。
【００４５】
また、かご廻り配線３８の制御ダクト３４とブラケット６０との間の区間も自由状態で下方に垂れ下がっており、したがってエレベータ昇降時の風圧等の影響がその下方に垂れ下がった部分のかご廻り配線３８に及ぶが、このかご廻り配線３８も平型ケーブルからなるため、断面が円形のケーブルの場合に比べその風圧等によるばたつきが抑えられる。特に、かご廻り配線３８の幅広の面と平行の方向のばたつきが抑えられる。したがってエレベータ昇降時におけるかご廻り配線３８とエレベータ昇降路内の機器との不用意な干渉を避けることができる。
【図面の簡単な説明】
【００４６】
【図１】この発明の第１の実施形態に係るダブルデッキ式エレベータの外観を示す斜視図。
【図２】そのダブルデッキ式エレベータの要部の側面図。
【図３】この発明の第２の実施形態に係るダブルデッキ式エレベータであって、その下かごを省略した状態の側面図。
【図４】この発明の第２の実施形態に係るダブルデッキ式エレベータであって、その上かごを省略した状態の側面図。
【図５】図４中の矢視Ａ方向から見た正面図。
【図６】従来のダブルデッキ式エレベータを示す側面図。
【符号の説明】
【００４７】
１０…外かご枠
１１…上かご
１２…下かご
１４…内かご枠
１６，１７…かご室
２４…ボールねじ装置
３３…作業台
３４…制御ダクト
３５，３７…かごダクト
４０ａ，４０ｂ…配線具
４１…連結子
４２…ピン
４５ａ，４５ｂ…ブラケット
４６ａ，４６ｂ…ブラケット
４８…弛み部
５１…ブラケット
５５，５６…弛み部
６０，６２…ブラケット
６５…弛み部
【図１】
2005089135.tif 000003
【図２】
2005089135.tif 000004
【図３】
2005089135.tif 000005
【図４】
2005089135.tif 000006
【図５】
2005089135.tif 000007
【図６】
2005089135.tif 000008